(57)【特許請求の範囲】
【請求項１】
床パンに設置可能な底壁と、
前記底壁と一体化した側壁と、
前記底壁および前記側壁に囲まれて形成される入浴のための空間である浴槽空間と、
前記底壁に形成され、前記浴槽空間に開口する複数の排水口と、を備える浴槽、および、
前記複数の排水口のそれぞれと対応する複数の床排水口を備える床パンが設置される浴室の排水構造であって、
前記複数の床排水口のそれぞれに対応して設けられる複数の排水トラップと、
前記複数の排水口からの排水をそれぞれ前記複数の排水トラップを通した下流側で合流させ、前記浴室の外部へと導水させる集合管と
を備える浴室の排水構造。
【発明の詳細な説明】
【技術分野】
【０００１】
本発明は、浴室の排水構造に関する。
【背景技術】
【０００２】
一般に浴槽は湯または水を排水するための排水口を備える。排水口は浴槽の底壁に形成される（例えば、特許文献１）。
【先行技術文献】
【特許文献】
【０００３】
【特許文献１】特開２００２−８１１１６号公報
【発明の概要】
【発明が解決しようとする課題】
【０００４】
例えば、介護施設では複数の被介護者が１つの浴槽に交代で入浴する。このため、浴槽内に溜められる湯または水の入れ替えが頻繁に行われる。作業効率の観点から、湯または水の入れ替え時間は短いことが好ましい。
【０００５】
本発明の目的は、排水に要する時間を短縮することに寄与する浴室の排水構造を提供することである。
【課題を解決するための手段】
【０００６】
本発明の一形態に従う浴室の排水構造は、床パンに設置可能な底壁と、前記底壁と一体化した側壁と、前記底壁および前記側壁に囲まれて形成される入浴のための空間である浴槽空間と、前記底壁に形成され、前記浴槽空間に開口する複数の排水口と、を備える浴槽、および、前記複数の排水口のそれぞれと対応する複数の床排水口を備える床パンが設置される浴室の排水構造であって、前記複数の床排水口のそれぞれに対応して設けられる複数の排水トラップと、前記複数の排水口からの排水をそれぞれ前記複数の排水トラップを通した下流側で合流させ、前記浴室の外部へと導水させる集合管とを備える。
【発明の効果】
【０００７】
上記浴室の排水構造は、排水に要する時間を短縮することに寄与する。
【図面の簡単な説明】
【０００８】
【図１】一実施形態の浴室の斜視図。
【図２】図１の浴室の分解斜視図。
【図３】図１の浴室の排水構造の斜視図。
【図４】図１の浴室に設置される浴槽の平面図。
【図５】図４の５−５線の断面図。
【図６】図４の６−６線の断面図。
【図７】図４の浴室の床排水口まわりの斜視図。
【図８】図４の浴槽の開閉装置の動作図。
【図９】第１の変形例の浴槽の平面図。
【図１０】第２の変形例の浴槽の平面図。
【図１１】第３の変形例の浴槽の平面図。
【発明を実施するための形態】
【０００９】
図１を参照して、一実施形態の浴室の構成について説明する。
浴室１０は、図示しない防水パン上に設置される床パン２０、浴室１０の壁を形成する壁パネル１１、床パン２０に設置される浴槽５０、および、浴槽５０の外周を囲むスカート８０を備えている。また、壁パネル１１には、床パン２０と平行に延びる手すり１２が取り付けられている。床パン２０と浴槽５０との間には接続部材９０（図２参照）が配置されている。
【００１０】
図２に示されるように、床パン２０は、洗い場２１、および、浴槽５０を設置する設置部２３を備えている。
洗い場２１は、設置部２３の付近に２つの洗い場排水口２２を備えている。洗い場２１は、周辺から各洗い場排水口２２に向かうにつれてゆるやかに下方傾斜している。
【００１１】
設置部２３は、長方形状を有し、１つの長辺が壁パネル１１に沿って形成されている。設置部２３は、洗い場２１よりも凹んで形成されている。設置部２３は、浴槽５０の底壁５１よりも大きい。設置部２３は、２つの床排水口２４を備えている。各床排水口２４は、設置部２３のうちの壁パネル１１から離れた側の２つの角２３Ａ，２３Ｂにそれぞれ形成されている。各床排水口２４は、浴槽５０に形成される複数の排水口５２，５３のそれぞれと対応する。各床排水口２４は、浴槽５０に形成される複数の排水口５２，５３のそれぞれと対向する位置に形成されている。
【００１２】
床排水口２４には、それぞれ排水蓋３０が取り付けられている。図７に示されるように、各排水蓋３０には、開口３１とフィルター口３２とが形成されている。フィルター口３２には、フィルター部材３３が取り付けられている。図２に示されるように、浴槽５０の２つの排水口５２，５３には円筒形状の接続部材９０が嵌め込まれている。接続部材９０は、例えば、ゴム材料により形成されている。接続部材９０は、排水口５２，５３と開口３１（図７参照）とを接続する。
【００１３】
図３に示されるように、各床排水口２４には、排水管部材４０が接続されている。排水管部材４０は、４つの排水トラップ４１、２つの分岐管４２、および、１つの集合管４３を備えている。
【００１４】
４つの排水トラップ４１は、それぞれ２つの洗い場排水口２２および２つの床排水口２４の下方に設置されている。図３の左側の床排水口２４の排水トラップ４１、および、図３の左側の洗い場排水口２２の排水トラップ４１は１つの分岐管４２に接続されている。図３の右側の床排水口２４の排水トラップ４１、および、図３の右側の洗い場排水口２２の排水トラップ４１は１つの分岐管４２に接続されている。２つの分岐管４２は集合管４３に接続されている。集合管４３の出口は、浴室１０の外部へと接続されている。
【００１５】
図４に示されるように、浴槽５０は、床パン２０（図２参照）に設置可能な底壁５１、この底壁５１と一体化した側壁６０、および、開閉装置７０を備えている。浴槽５０は、底壁５１および側壁６０に囲まれて形成される入浴のための空間である浴槽空間ＳＡを備えている。底壁５１および側壁６０は樹脂材料により形成されている。底壁５１および側壁６０は、一体成型により形成されている。底壁５１には、浴槽空間ＳＡに開口する第１の排水口５２および第２の排水口５３が形成されている。
【００１６】
側壁６０は、浴槽空間ＳＡを介して対向する一対の側壁６０である第１の側壁６１および第２の側壁６２と、浴槽空間ＳＡを介して対向する一対の側壁６０である第３の側壁６３および第４の側壁６４とを備えている。第１の側壁６１および第２の側壁６２は第３の側壁６３および第４の側壁６４よりも長い。このため、浴槽５０は、浴槽５０を上方から見た平面視において第１の側壁６１および第２の側壁６２を長辺とし、第３の側壁６３および第４の側壁６４を短辺とする長方形状を備えている。
【００１７】
第１の排水口５２は、第１の側壁６１と第２の側壁６２との間において第２の側壁６２寄り、かつ、第３の側壁６３と第４の側壁６４との間において第３の側壁６３寄りに形成されている。第２の排水口５３は、第１の側壁６１と第２の側壁６２との間において第２の側壁６２寄り、かつ、第３の側壁６３と第４の側壁６４との間において第４の側壁６４寄りに形成されている。
【００１８】
図１に示されるように、第１の側壁６１は、浴室１０を構成する壁パネル１１に沿って配置される。第１の側壁６１には、浴槽空間ＳＡの開口を形成する部分である開口部５０Ａにフランジ６１Ａが形成されている。フランジ６１Ａの縁は、壁パネル１１に取り付けられる固定具（図示略）を介して壁パネル１１に取り付けられる。図４に示されるように、第１の側壁６１は、平面形状に近い形状であり、浴槽５０を上方から見た平面視において直線状に延びる中間部分６１Ｂを備えている。第１の側壁６１の第１の端部６１Ｃは、第３の側壁６３に向かって湾曲している。第１の側壁６１の第２の端部６１Ｄは、第４の側壁６４に向かって湾曲している。図５に示されるように、第１の側壁６１は、上方から底壁５１に向かうにつれて第２の側壁６２側に傾斜している。底壁５１と第２の側壁６２とがなす角の角度ＤＡは、９０〜９６度の範囲に含まれる。角度ＤＡは、より好ましくは、９４度である。
【００１９】
図４に示されるように、第２の側壁６２には、開口部５０Ａにフランジ６２Ａが形成されている。第２の側壁６２は、平面形状に近い形状であり、浴槽５０を上方から見た平面視において直線状に延びる中間部分６２Ｂを備えている。第２の側壁６２の第１の端部６２Ｃは、第３の側壁６３に向かって湾曲している。第２の側壁６２の第２の端部６２Ｄは、第４の側壁６４に向かって湾曲している。図５に示されるように、第２の側壁６２は、上方から底壁５１に向かうにつれて第１の側壁６１側に傾斜している。底壁５１と第２の側壁６２とがなす角の角度ＤＢは、９０〜９４度の範囲に含まれる。角度ＤＢは、より好ましくは、９３度である。角度ＤＢは、角度ＤＡよりも小さく、角度ＤＡよりも直角に近い。
【００２０】
図４に示されるように、第３の側壁６３には、開口部５０Ａにフランジ６３Ａが形成されている。第３の側壁６３は、平面形状に近い形状であり、浴槽５０を上方から見た平面視において直線状に延びる中間部分６３Ｂを備えている。第３の側壁６３の第１の端部６３Ｃは、第１の側壁６１に向かって湾曲している。第３の側壁６３の第２の端部６３Ｄは、第２の側壁６２に向かって湾曲している。図６に示されるように、第３の側壁６３は、上方から底壁５１に向かうにつれて第４の側壁６４側に傾斜している。
【００２１】
図４に示されるように、第４の側壁６４には、開口部５０Ａにフランジ６４Ａが形成されている。第４の側壁６４は、平面形状に近い形状であり、浴槽５０を上方から見た平面視において直線状に延びる中間部分６４Ｂを備えている。第４の側壁６４の第１の端部６４Ｃは、第１の側壁６１に向かって湾曲している。第４の側壁６４の第２の端部６４Ｄは、第２の側壁６２に向かって湾曲している。図６に示されるように、第４の側壁６４は、上方から底壁５１に向かうにつれて第３の側壁６３側に傾斜している。
【００２２】
図４に示されるように、側壁６１〜６４のフランジ６１Ａ，６２Ａ，６３Ａ，６４Ａは、連続的に形成され、開口部５０Ａと相似形を有する。第１の側壁６１のフランジ６１Ａの幅ＬＡは、第２の側壁６２のフランジ６２Ａの幅ＬＢよりも大きい。第２の側壁６２のフランジ６２Ａの幅ＬＢは、第３の側壁６３のフランジ６３Ａの幅ＬＣ、および、第４の側壁６４のフランジ６４Ａの幅ＬＤと等しい。
【００２３】
第２の側壁６２と第３の側壁６３とを繋ぐ部分である第１の角６０Ａの内面は、浴槽５０の開口部５０Ａから底壁５１に向かうにつれて浴槽空間ＳＡの中心側に向けて角度ＤＡ（図５参照）および角度ＤＢ（図５参照）よりも急激に傾斜している。第２の側壁６２と第４の側壁６４とを繋ぐ部分である第２の角６０Ｂの内面は、浴槽５０の開口部５０Ａから底壁５１に向かうにつれて浴槽空間ＳＡの中心側に向けて角度ＤＡ（図５参照）および角度ＤＢ（図５参照）よりも急激に傾斜している。このため、図７に示されるように、浴槽５０が設置部２３に設置されたとき、第１の角６０Ａが配置される設置部２３の角２３Ａと浴槽５０との間に、メンテナンス空間ＳＢが形成される。また、図示しないが、浴槽５０が設置部２３に設置されたとき、第２の角６０Ｂ（図４参照）が配置される設置部２３の角２３Ｂ（図２参照）と浴槽５０との間にも同様のメンテナンス空間ＳＢが形成される。
【００２４】
メンテナンス空間ＳＢの底を形成する設置部２３には、床排水口２４の一部が含まれている。床排水口２４が取り付けられる排水蓋３０は、浴槽５０の排水口５２と対向する位置に開口３１が配置され、かつ、浴槽５０の外面から露出する位置、すなわち、メンテナンス空間ＳＢにフィルター口３２が配置されるように床排水口２４に取り付けられる。また、図示しないが、浴槽５０の排水口５２（図２参照）と対向する位置においても排水蓋３０の開口３１が配置され、かつ、浴槽５０の外面から露出する位置にフィルター口３２が配置されるように床排水口２４に取り付けられる。
【００２５】
フィルター口３２には、フィルター部材３３が嵌め込まれている。フィルター部材３３は、図示しないフィルターが床排水口２４よりも下方に配置されている。フィルター部材３３の上面には、作業者がメンテナンスを行う際に手をかけることのできる把持部３３Ａが備えられている。また、フィルター部材３３の上面には、設置部２３の上面に漏れた排水を、フィルター（図示略）を介して排水トラップ４１（図３参照）に導くための開口部３３Ｂが形成されている。
【００２６】
図４に示されるように、開閉装置７０は、排水口５２，５３を開閉する複数の栓蓋７１と、それぞれの栓蓋７１のそれぞれと連結される複数のワイヤー７２と、複数のワイヤー７２のそれぞれと繋がる複数の操作部７３とを備えている。
【００２７】
図８に示されるように、開閉装置７０は、いわゆるプッシュアップ式の排水栓であり、操作部７３が操作されることによりワイヤー７２が牽引され、ワイヤー７２が牽引されることにより栓蓋７１が排水口５２，５３を開放する。図４に示されるように、操作部７３は、第１の側壁６１のフランジ６１Ａの中間部分６１Ｂに取り付けられている。
【００２８】
浴室１０の排水構造は、以下の作用および効果を奏する。
（１）浴槽５０は、底壁５１に浴槽空間ＳＡに開口する複数の排水口５２，５３が形成されている。このため、排水口が１つの場合と比較して、排水能力を向上できる。このため、排水に要する時間を短縮することに寄与できる。
【００２９】
（２）利用者が浴槽５０に入るとき、浴槽５０の角の付近に足を付けるおそれが低い。また、利用者が浴槽５０に座位で浸かっているときに、臀部および足を浴槽５０の手前の角の付近に乗せにくい。第１の排水口５２は、第３の側壁６３と第４の側壁６４との間において第３の側壁６３寄りに形成される。第２の排水口５３は、第３の側壁６３と第４の側壁６４との間において第４の側壁６４寄りに形成される。すなわち、排水口５２，５３は、利用者が入浴するときに足および臀部が接触しにくい場所に形成されている。このため、利用者が入浴時に排水口５２，５３の栓蓋７１等に接触して違和感を覚えるおそれを低減できる。
【００３０】
（３）複数の排水口５２，５３は、第１の側壁６１と第２の側壁６２との間において第２の側壁６２寄りに形成されている。集合管４３の出口は、浴槽５０の手前側に位置している。このため、排水口５２，５３を第１の側壁６１に近い位置に形成する場合と比較して、各排水口５２，５３から床排水口２４を経て集合管４３の出口にいたるまでの排水管部材４０の長さを短くすることができる。
【００３１】
（４）底壁５１と第２の側壁６２とがなす角の角度ＤＢが９０〜９４度の範囲に含まれる。すなわち、第２の側壁６２が、水平面に対して実質的に直角になるように形成されている。このため、第２の側壁６２が頂部から底壁５１に向かってゆるやかに傾斜する場合と比較して、利用者が第１の側壁６１を乗り越えて浴槽５０に入りやすい。また、介護者が利用者の入浴を介助するときに、第２の側壁６２が頂部から底壁５１に向かってゆるやかに傾斜する場合と比較して、手が第２の側壁６２に当たりにくいため、介助しやすい。
【００３２】
（５）底壁５１と第１の側壁６１とがなす角の角度ＤＡは、角度ＤＢよりも大きい。このため、浴槽５０の一体成型時において、角度ＤＡが角度ＤＢ以下の場合と比較して、鋳型から浴槽５０を取り出しやすい。
【００３３】
（６）第１の角６０Ａの内面、および、第２の角６０Ｂの内面は、浴槽５０の開口から底壁５１に向かうにつれて浴槽空間ＳＡの中心側に向けて傾斜している。このため、排水蓋３０の上方においてメンテナンス空間ＳＢが形成される。このため、浴槽５０を床パン２０に設置した状態で床排水口２４の周囲を確認することができる。また、浴槽５０を床パン２０に設置した状態で床排水口２４の排水蓋３０に取り付けられるフィルター部材３３のメンテナンスを行うことができる。
【００３４】
（４）側壁６０の角が緩やかに形成されている場合、浴槽５０に浸かった利用者が側壁６０に背中を預けるとき、利用者の位置が側壁６０に沿ってずれやすい。他方、側壁６０の角が実質的に直角である場合に、側壁６０の角付近の平面部分が利用者の両側の肩甲骨を支え、利用者の位置がずれ難い。
【００３５】
浴槽５０は、第１の側壁６１、第２の側壁６２、第３の側壁６３、および、第４の側壁６４の内面が平面に近い形状である。このため、側壁６０は、平面視において長方形状を有する。すなわち、第１の側壁６１と第３の側壁６３との間、第１の側壁６１と第４の側壁との間、第２の側壁６２と第３の側壁６３との間、および、第２の側壁６２と第４の側壁６４との間の角度が、実質的に直角である。このため、側壁６０の角付近の平面部分が利用者の両側の肩甲骨を支えやすいため、利用者の姿勢が安定しやすい。
【００３６】
（５）側壁６０の頂部に形成されるフランジの大きさが変化する仮の浴槽においては、フランジの大きい部分よりも細い部分の方が握りやすい。第２の側壁６２のフランジ６２Ａの大きさは一定である。このため、利用者がフランジ６２Ａのいずれの部分であっても握りやすくなるため、利便性が向上する。また、中間部分６２Ｂにおいて、フランジ６２Ａは第２の側壁６２の平面形状に沿って直線的に形成されている。このため、フランジ６２Ａが湾曲して形成されている場合と比較して利用者がフランジ６２Ａを握ったときにフランジ６２Ａに沿って手がずれにくい。
【００３７】
（６）第１の側壁６１が沿う壁パネル１１には手すり１２が取り付けられている。第１の側壁６１のフランジ６１Ａの幅ＬＡは、第２の側壁６２のフランジ６２Ａの幅ＬＢよりも大きいため、手すり１２が浴槽空間ＳＡの上方に突出する量を低減できる。このため、手すり１２が利用者の入浴時に邪魔になることを抑制できる。
【００３８】
（７）浴槽５０は、複数の栓蓋７１のそれぞれとワイヤー７２により連結されて栓蓋７１のそれぞれの開閉を操作する複数の操作部７３とを備える。このため、各栓蓋７１の開閉を個別に行うことができる。このため、利用者は、例えば、水量の調整を行うとき等、一方の栓蓋７１のみを開くことにより、浴槽５０内の水をゆっくりと排出できる。すなわち、浴槽５０の水の排出速度を選択できるため、利便性が向上する。
【００３９】
（８）床パン２０は、複数の排水口５２，５３のそれぞれと対応する部分に複数の床排水口２４を備える。このため、複数の排水口５２，５３の排水を１つの床排水口２４に集水して排水する構成と比較して、浴槽５０の排水性能をさらに向上できる。
【００４０】
（９）浴室１０の排水構造は、複数の排水口５２，５３のそれぞれと複数の床排水口２４とが接続部材９０により連結されている。このため、排水が排水口５２，５３から床排水口２４へ排出されるときに床パン２０上に排水が拡散することを抑制できる。
【００４１】
（１０）浴室１０からの排水能力は、排水管部材４０の排水トラップ４１のサイズに影響される。浴室１０の排水構造は、床排水口２４のそれぞれに排水管部材４０が備えられ、排水管部材４０のそれぞれに排水トラップ４１が備えられている。このため、床排水口２４を集水した後の部分に排水トラップ４１と同サイズの排水トラップ４１を備える場合と比較して、床排水口２４以降の排水性能を向上できる。
【００４２】
また、床排水口２４を集水した後の部分に排水トラップ４１よりも大型の排水トラップを備えて排水性能を向上させる場合、排水トラップ４１の高さが大きくなるため、床パン２０の下の空間が大きくなる。このため、浴槽５０が洗い場２１に対して比較的に高い位置に配置される。このため、利用者が側壁６０を越え難くなる。浴室１０の排水構造は、床排水口２４のそれぞれに排水トラップ４１が備えられているため、排水性能の向上と排水トラップの大型化の抑制とを両立することができる。
【００４３】
浴室の排水構造が取り得る具体的な形態は、上記実施形態に例示された形態に限定されない。浴室の排水構造は、上記実施形態とは異なる各種の形態を取り得る。以下に示される上記実施形態の変形例は、浴室の排水構造が取り得る各種の形態の一例である。
【００４４】
・図９に示されるように、第１の排水口５２および第２の排水口５３を第１の側壁６１寄り、かつ、第３の側壁６３と第４の側壁６４との間において中央寄りに形成することもできる。利用者が浴槽５０に入るとき、浴槽５０の壁パネル１１側に足を付けるおそれが低い。また、利用者が浴槽５０に座位で浸かっているときに、臀部および足を浴槽５０の中央付近に乗せにくい。すなわち、排水口５２，５３は、利用者が入浴するときに足および臀部が接触しにくい場所に形成されている。このため、利用者が入浴時に排水口５２，５３の栓蓋７１等に接触して違和感を覚えるおそれを低減できる。また、排水口５２，５３が壁パネル１１側の第１の側壁６１側にあるために、介助者が介助を行いやすい。
【００４５】
・図１０に示されるように、第１の排水口５２を第１の側壁６１寄り、かつ、第３の側壁６３と第４の側壁６４との間において第３の側壁６３寄りに形成することもできる。また、第２の排水口５３を第１の側壁６１寄り、かつ、第３の側壁６３と第４の側壁６４との間において第４の側壁６４寄りに形成することもできる。利用者が浴槽５０に入るとき、浴槽５０の壁パネル１１側に足を付けるおそれが低い。また、利用者が浴槽５０に座位で浸かっているときに、臀部および足を浴槽５０の角付近に乗せにくい。すなわち、排水口５２，５３は、利用者が入浴するときに足および臀部が接触しにくい場所に形成されている。このため、利用者が入浴時に排水口５２，５３の栓蓋７１等に接触して違和感を覚えるおそれを低減できる。また、排水口５２，５３が壁パネル１１側の第１の側壁６１側にあるために、介助者が介助を行いやすい。
【００４６】
・底壁と第２の側壁６２とがなす角の角度ＤＢを９４〜９６度の範囲に含まれるようにすることもできる。この場合も、第２の側壁６２が、水平面に対して直角に近くなるように形成されているため、第２の側壁６２が頂部から底壁５１に向かってゆるやかに傾斜する場合と比較して、利用者が第２の側壁６２を乗り越えて浴槽５０に入りやすい。
【００４７】
・底壁と第２の側壁６２とがなす角の角度ＤＢを９６度以上にすることもできる。
・第１の側壁６１、第２の側壁６２、第３の側壁６３、および、第４の側壁６４を平面形状にすることもできる。この場合、第１の側壁６１の両端部６１Ｃ，６１Ｄ、第２の側壁６２の両端部６２Ｃ，６２Ｄ、第３の側壁６３両端部６３Ｃ，６３Ｄ、および、第４の側壁６４の両端部６４Ｃ，６４Ｄは、湾曲しない。
【００４８】
・第１の側壁６１、第２の側壁６２、第３の側壁６３、および、第４の側壁６４の少なくとも１つを湾曲した形状にすることもできる。第１の側壁６１、第２の側壁６２、第３の側壁６３、および、第４の側壁６４の全てが湾曲した形状に形成される場合、側壁６０は平面視において楕円形上を有する。
【００４９】
・開閉装置７０を、図１１に示される開閉装置１７０に変更することもできる。開閉装置１７０は、複数の排水口５２，５３のそれぞれを開閉する複数の栓蓋１７１と、複数の栓蓋１７１のそれぞれと連結されるワイヤー１７２と、ワイヤー１７２と繋がる１つの操作部１７３とを備える。この場合、各栓蓋１７１の開閉を１つの操作部１７３の操作で行うことができる。このため、ユーザの利便性が向上する。
【００５０】
・排水口５２，５３を３つ以上設けることもできる。
・排水口５２，５３の形成位置は、適宜変更することができる。例えば、第１の排水口５２および第２の排水口５３の両方を第２の側壁６２寄りに形成することもできる。また、第１の排水口５２および第２の排水口５３の両方を第３の側壁６３寄りに形成することもできる。また、第１の排水口５２を第１の角６０Ａの付近に配置し、第２の排水口５３を第１の側壁６１と第４の側壁６４との間の角付近に形成することもできる。
【００５１】
・開閉装置７０を、ゴム材料により形成される栓と、栓蓋と側壁６０に取り付けられるチェーンとを備える開閉装置に変更することもできる。
・浴槽５０を、底壁５１と側壁６１とを各別に形成した後に、接着等により互いに固定して底壁５１と一体化した側壁６１を備える浴槽に変更することもできる。この場合、浴槽５０を、木材等の材料により形成することもできる。
【００５２】
・浴室１０から接続部材９０を省略することもできる。この場合、床排水口２４を１つにすることもできる。この場合も、浴槽５０からの排水時間を短時間化できる。
・床排水口２４の下の排水トラップ４１を省略し、集合管４３に大型の排水トラップを設けることもできる。
【符号の説明】
【００５３】
１０…浴室、２０…床パン、２４…床排水口、４０…排水管部材、４１…排水トラップ、５０…浴槽、５０Ａ…開口部、５１…底壁、５２…第１の排水口（排水口）、５３…第２の排水口（排水口）、６０…側壁、６０Ａ…第１の角、６０Ｂ…第２の角、６１…第１の側壁、６１Ａ…フランジ、６２…第２の側壁、６２Ａ…フランジ、６３…第３の側壁、６３Ａ…フランジ、６４…第４の側壁、６４Ａ…フランジ、７１…栓蓋、７２…ワイヤー、７３…操作部、９０…接続部材、ＳＡ…浴槽空間。
【図１】
0006365958.tif 000002
【図２】
0006365958.tif 000003
【図３】
0006365958.tif 000004
【図４】
0006365958.tif 000005
【図５】
0006365958.tif 000006
【図６】
0006365958.tif 000007
【図７】
0006365958.tif 000008
【図８】
0006365958.tif 000009
【図９】
0006365958.tif 000010
【図１０】
0006365958.tif 000011
【図１１】
0006365958.tif 000012